(57)【要約】【課題】各種装置のファンを挿着して洗浄できる洗浄治具を提供する。【解決手段】本発明に係るファン用洗浄治具は、洗浄槽７０の上端周縁７３に上方から載置される載置部１０と、その中心にある中心部１１と、その周縁部１０ａに下向きに突設されて上端周縁７３からの位置ずれを規制する下向規制片１３と、中心部１１から垂下された吊下用軸部２０と、その下端に形成された下端ネジ部２２から構成される洗浄治具１であり、洗浄する際には、ファン３０のハブ３８の中心軸孔４２に洗浄治具１の下端ネジ部２２を挿通し、中心軸孔４２から突出した下端ネジ部２２をナット５３で締付けてファン洗浄治具連結体６０を形成し、下向規制片１３が上端周縁７３を規制するように載置部１０を洗浄槽７０の上端周縁７３に載置してファン３０を洗浄槽７０の中に吊下させることを特徴とする。【選択図】図１
2016013504.tif 000002
【特許請求の範囲】
【請求項１】
洗浄槽の上端周縁に上方から載置される載置部と、前記載置部の中心に設けられる中心部と、前記載置部の周縁部に下向きに突設されて前記洗浄槽の上端周縁からの位置ずれを規制する下向規制片と、前記中心部から下向きに垂下された吊下用軸部と、前記吊下用軸部の下端に形成された下端ネジ部から構成される洗浄治具であり、ファンを洗浄する際には、ファンのハブの中心軸孔に前記洗浄治具の下端ネジ部を挿通し、前記中心軸孔から下方に突出した前記下端ネジ部をナットで締付けて前記洗浄治具をファンに固定してファン洗浄治具連結体を形成し、前記下向規制片が前記上端周縁を規制するように前記載置部を前記洗浄槽の上端周縁に載置してファンを洗浄槽の中に吊下させることを特徴とするファン用洗浄治具。
【請求項２】
前記下向規制片は前記載置部の前記周縁部を下向きに折曲させて形成される請求項１に記載のファン用洗浄治具。
【請求項３】
前記中心軸孔は前記ハブの中心領域に形成されたボス部に形成され、吊下用軸部には前記下端ネジ部の上側近傍の軸体から一対の固定ピンを相互に反対方向に突出させ、前記ファンのボス部に中心軸孔を中心にして少なくとも一対のボス溝を相互に反対方向に刻設し、前記一対の固定ピンを前記一対のボス溝に嵌め込んだ状態で、前記下端ネジ部をナットで締付ける請求項１又は２に記載のファン用洗浄治具。
【請求項４】
前記中心部に中心透孔を開孔し、前記吊下用軸部の上端に上端ネジ部を形成し、前記上端ネジ部を前記中心透孔に挿通して上方に突出させ、前記上端ネジ部をナットで締付けて前記吊下用軸部の上端を前記中心部に固定する請求項１〜３のいずれかに記載のファン用洗浄治具。
【請求項５】
前記上端ネジ部を長めに形成し、前記中心透孔から上端ネジ部の上方への突出長を長短調整して、下端ネジ部に連結されるファンの上下位置を調節可能にする請求項３に記載のファン用洗浄治具。
【請求項６】
前記中心部に中心透孔を開孔し、前記吊下用軸部の上端を前記中心透孔に挿通し、前記吊下用軸部の上端を前記中心部に溶着又はロウ付けして前記吊下用軸部の上端を前記中心部に固定する請求項１〜５のいずれかに記載のファン用洗浄治具。
【請求項７】
前記載置部は前記中心部から３本以上の延伸杆を放射状に突出させて構成される請求項１〜６のいずれかに記載のファン用洗浄治具。
【請求項８】
前記中心部と前記延伸杆とは面一状に形成される請求項７に記載のファン用洗浄治具。
【請求項９】
前記延伸杆は、一端の周縁部に下向規制片と他端に中心孔を形成してなり、前記載置部は前記延伸杆の中心孔を上下に合致して重ね合わせた中心部を有する請求項７に記載のファン用洗浄治具。
【請求項１０】
中心位置に中心孔を開孔し両端部に前記下向規制片を形成した２本以上の直杆を前記中心孔を合致するように重ね、１本の直杆は前記中心孔から左右に２本の前記延伸杆が突設される形態を有し、前記中心孔が上下に重なって形成される中心透孔を含む領域が前記中心部を形成し、前記中心部から４本以上の前記延伸杆が放射状に突出される請求項１〜８のいずれかに記載のファン用洗浄治具。
【請求項１１】
前記載置部は前記洗浄槽の開口部を密閉する蓋状天板から形成され、前記蓋状天板の周縁部で周方向の一部又は全周に前記下向規制片を突設させる請求項１〜６のいずれかに記載のファン用洗浄治具。
【請求項１２】
少なくとも一個の前記下向規制片の横に洗浄槽の上端周縁の周方向に延びるＬ字杆を設け、前記下向規制片と前記Ｌ字杆によりコ字型ロック部を構成し、前記洗浄槽に吊下取手を連結する吊下取手継部に前記コ字型ロック部を固定して、前記載置部が前記洗浄槽の周方向への回動を阻止する請求項１〜１１のいずれかに記載のファン用洗浄治具。
【請求項１３】
請求項１〜１２のいずれかに記載のファン用洗浄治具と、洗浄槽の底部には電動回転する開転板を有し、且つ洗浄槽の上端側に開口部を内方に形成する上端周縁を有した洗浄機から構成され、ファンを洗浄する際には、前記ファン用洗浄治具にファンを装着してファン洗浄治具連結体を構成し、前記洗浄槽に洗浄液を充填し、前記ファン洗浄治具連結体のファンを前記開口部から投入して洗浄液に浸績させ、前記ファン洗浄治具連結体の載置部を前記上端周縁に載置し、前記載置部の周縁部に下向きに突設された下向規制片により前記載置部の前記上端周縁からの位置ずれが規制されることを特徴とするファン洗浄装置。
【発明の詳細な説明】
【技術分野】
【０００１】
本発明は、ファンの洗浄方法に関し、更に詳細には、ファンに連結してファンを効率的に洗浄できるファン用洗浄治具及びファン洗浄装置に関する。
【背景技術】
【０００２】
従来、ファンの一例としてシロッコファンを洗浄する装置として特開２００２−２４２８９７号公報（特許文献１）に記載された装置が知られている。この従来装置は本願発明の図１５に示されている。
図１５のファン洗浄装置１０１では、シロッコファン１０２は連結手段１０５を介して回転手段１０４である駆動モータ１２４に連結され、昇降機構１２５により昇降自在に支持板１２７に取着されている。洗浄槽１０３の本体部１１３の中には洗浄液が充填され、シロッコファン１０２は洗浄液に浸績されている。追炊ボイラ１２０により適切な温度に加熱された洗浄液の中で、シロッコファン１０２は回転しながら浸績されるから、その回転中に油分などが除去される。洗浄されたシロッコファン１０２は、洗浄槽１０３に隣接する濯ぎ槽１０６に移動され、清浄水により濯がれて清浄化される。更に、清浄化されたシロッコファン１０２はフック１３７に吊下されて吊り上げられ、乾燥手段１０７により乾燥される。このような工程を経てシロッコファン１０２は再生される。
【０００３】
また、ファンを洗浄する方法として特開２００４−３０８９８７号公報（特許文献２）に記載されたファンコイルユニットの洗浄方法が知られている。この従来方法は本願発明の図１２に示されている。
図１２のファンコイルユニット２０１は、シロッコファンファン２３１を内蔵したファン配風機２０３と熱交フィン２２５を有した熱交換器２０２を内装するハウジングからなる。このハウジングには内部を点検する点検口２１１が設けられ、天井２０８の上側に配置されている。熱交換器２０２からの送風はダクト２１２を介して室内吹出口２１３から室内に供給される。
【０００４】
上記のファンコイルユニット２０１を洗浄する際には、各種装置が配設される。エアコンプレッサ２０５からの高圧空気はエアホース２５１を通してリモコン２４２により操作されるブラストマシン２０４に供給され、粉体高圧空気が天井点検口２８１を通して配設されたブラストホース２４１を介してノズル２４３からファンコイルユニット２０１の内部に噴射される。この粉体高圧空気の噴射によりファン配風機２０３と熱交換機２０２の表面は浄化される。粉体高圧空気は室内吹出口２１３を包被する集塵ホッパ２７２に入って粉体が除去され、高圧空気は集塵ホース２７１を介してバキュームクリーナ２０７により吸引される。このような過程を経て、シロッコファン２３１を内蔵したファン配風機が洗浄される。
【先行技術文献】
【特許文献】
【０００５】
【特許文献１】特開２００２−２４２８９７号公報
【特許文献２】特開２００４−３０８９８７号公報
【発明の概要】
【発明が解決しようとする課題】
【０００６】
特許文献１では、シロッコファン１０２は連結手段１０５により駆動モータ１２４の回転軸に連結され、シロッコファン１０２を洗浄槽１０３に充填された洗浄液の中に浸績して、静止状態の洗浄液中でシロッコファン１０２を回転させて油分などの汚れを除去している。
一般に、駆動モータは１５００〜３０００ｒｐｍの高回転数で最大効率が得られるように設計されているから、シロッコファン１０２を駆動モータ１２４に直付けすると、高速回転のため洗浄液が洗浄槽１０３から飛び散る等の不快現象が生起し、作業環境を悪化させる原因となっていた。
また、連結手段１０５によりシロッコファン１０２を回転軸に直付けしているが、連結手段の具体的構造は全く開示されておらず、どのようにシロッコファン１０２を回転軸に連結するかは全く不明である。
【０００７】
特許文献２では、サンドブラストによってファンを清浄化する方法と装置が開示されている。しかし、室内の天井上側に配置されたファンコイルユニットを配置状態のままサンドブラスト関連装置を配置して、ファンコイルユニットの内部の全体をサンドブラストするため、装置が大掛かりになるだけでなく、ファンに付着した粉体を完全に回収できるかどうかに疑問が残る。しかも、ファンだけを取り出して洗浄する方法では無いため、ファンを単体で洗浄する技術に対しては、何らの参考にもならない。
【０００８】
従って、本発明は、各種装置からファンを単体で取り出して洗浄するために、市場に流通する多数のファンに共通する構造に着目して、ファンを洗浄槽に安定して取り付けることができる洗浄治具を開発することに成功したものである。即ち、本発明の目的は、ファンに連結される特有の構造をした洗浄治具を提供することであり、洗浄治具を洗浄槽の上端周縁に横ずれを防止規制した状態で載置できる構造を提供することによって、ファン洗浄治具連結体を洗浄槽に吊下するだけで、ファンは洗浄液が充填された洗浄槽の中に安定して吊下され、洗濯機の様に、洗浄槽の底部に設けられた回転板を電動回転させることにより、洗浄液が旋回流動し、静止状態で吊下されたファンに衝突し、ファンを効率的に洗浄することを可能にしたものである。
従って、市場にある多くのファンの単体と連結でき、洗浄槽の内部にファンを吊下した状態で洗浄槽の上端周縁に安定して載置でき、洗浄液を旋回流動させてファンを洗浄するから、通常の洗濯機の様に、洗浄液の回転数を低速化して洗浄液の飛散を防止することが可能になった。
【課題を解決するための手段】
【０００９】
本発明は、上記課題を解決するために為されたものであり、本発明の第１の形態は、洗浄槽の上端周縁に上方から載置される載置部と、前記載置部の中心に設けられる中心部と、前記載置部の周縁部に下向きに突設されて前記洗浄槽の上端周縁からの位置ずれを規制する下向規制片と、前記中心部から下向きに垂下された吊下用軸部と、前記吊下用軸部の下端に形成された下端ネジ部から構成される洗浄治具であり、ファンを洗浄する際には、ファンのハブの中心軸孔に前記洗浄治具の下端ネジ部を挿通し、前記中心軸孔から下方に突出した前記下端ネジ部をナットで締付けて前記洗浄治具をファンに固定してファン洗浄治具連結体を形成し、前記下向規制片が前記上端周縁を規制するように前記載置部を前記洗浄槽の上端周縁に載置してファンを洗浄槽の中に吊下させるファン用洗浄治具である。
【００１０】
本発明の第２の形態は、前記下向規制片は前記載置部の前記周縁部を下向きに折曲させて形成されるファン用洗浄治具である。
【００１１】
本発明の第３の形態は、前記中心軸孔は前記ハブの中心領域に形成されたボス部に形成され、吊下用軸部には前記下端ネジ部の上側近傍の軸体から一対の固定ピンを相互に反対方向に突出させ、前記ファンのボス部に中心軸孔を中心にして少なくとも一対のボス溝を相互に反対方向に刻設し、前記一対の固定ピンを前記一対のボス溝に嵌め込んだ状態で、前記下端ネジ部をナットで締付けるファン用洗浄治具である。
【００１２】
本発明の第４の形態は、前記中心部に中心透孔を開孔し、前記吊下用軸部の上端に上端ネジ部を形成し、前記上端ネジ部を前記中心透孔に挿通して上方に突出させ、前記上端ネジ部をナットで締付けて前記吊下用軸部の上端を前記中心部に固定するファン用洗浄治具である。
【００１３】
本発明の第５の形態は、前記上端ネジ部を長めに形成し、前記中心透孔から上端ネジ部の上方への突出長を長短調整して、下端ネジ部に連結されるファンの上下位置を調節可能にするファン用洗浄治具である。
【００１４】
本発明の第６の形態は、前記中心部に中心透孔を開孔し、前記吊下用軸部の上端を前記中心透孔に挿通し、前記吊下用軸部の上端を前記中心部に溶着又はロウ付けして前記吊下用軸部の上端を前記中心部に固定するファン用洗浄治具である。
【００１５】
本発明の第７の形態は、前記載置部は前記中心部から３本以上の延伸杆を放射状に突出させて構成されるファン用洗浄治具である。
【００１６】
本発明の第８の形態は、前記中心部と前記延伸杆とは面一状に形成されるファン用洗浄治具である。
【００１７】
本発明の第９の形態は、前記延伸杆は、一端の周縁部に下向規制片と他端に中心孔を形成してなり、前記載置部は前記延伸杆の中心孔を上下に合致して重ね合わせた中心部を有するファン用洗浄治具である。
【００１８】
本発明の第１０の形態は、中心位置に中心孔を開孔し両端部に前記下向規制片を形成した２本以上の直杆を前記中心孔を合致するように重ね、１本の直杆は前記中心孔から左右に２本の前記延伸杆が突設される形態を有し、前記中心孔が上下に重なって形成される中心透孔を含む領域が前記中心部を形成し、前記中心部から４本以上の前記延伸杆が放射状に突出されるファン用洗浄治具である。
【００１９】
本発明の第１１の形態は、前記載置部は前記洗浄槽の開口部を密閉する蓋状天板から形成され、前記蓋状天板の周縁部で周方向の一部又は全周に前記下向規制片を突設させるファン用洗浄治具である。
【００２０】
本発明の第１２の形態は、少なくとも一個の前記下向規制片の横に洗浄槽の上端周縁の周方向に延びるＬ字杆を設け、前記下向規制片と前記Ｌ字杆によりコ字型ロック部を構成し、前記洗浄槽に吊下取手を連結する吊下取手継部に前記コ字型ロック部を固定して、前記載置部が前記洗浄槽の周方向への回動を阻止するファン用洗浄治具である。
【００２１】
本発明の第１３の形態は、第１形態〜第１２形態のファン用洗浄治具と、洗浄槽の底部には電動回転する開転板を有し、且つ洗浄槽の上端側に開口部を内方に形成する上端周縁を有した洗浄機から構成され、ファンを洗浄する際には、前記ファン用洗浄治具にファンを装着してファン洗浄治具連結体を構成し、前記洗浄槽に洗浄液を充填し、前記ファン洗浄治具連結体のファンを前記開口部から投入して洗浄液に浸績させ、前記ファン洗浄治具連結体の載置部を前記上端周縁に載置し、前記載置部の周縁部に下向きに突設された下向規制片により前記載置部の前記上端周縁からの位置ずれが規制されるファン洗浄装置である。
【発明の効果】
【００２２】
本発明の第１の形態によれば、洗浄槽の上端周縁に上方から載置される載置部と、前記載置部の中心に設けられる中心部と、前記載置部の周縁部に下向きに突設されて前記洗浄槽の上端周縁からの位置ずれを規制する下向規制片と、前記中心部から下向きに垂下された吊下用軸部と、前記吊下用軸部の下端に形成された下端ネジ部から構成される洗浄治具が提供される。
一般に、洗浄槽は上端に開口部を有した筒型洗浄槽であり、開口部の周囲には上端周縁が存在するから、載置部は洗浄槽の上端周縁に載置される構造である。載置部の周縁部には下向規制片が下方を向いて突設されており、下向規制片は洗浄槽の上端周縁の内側に配置されてもよいし、また上端周縁の外側に配置されてもよく、更には下向規制片が内側と外側の二重に突設されておれば、両下向規制片の間の溝に上端周縁が嵌合するように配置されてもよい。下向規制片は上端周縁に当接してもよいが、上端周縁の近傍に配置されてもよい。載置部が横にずれようとしても、下向規制片が必ず上端周縁に衝突するようになるから、載置部の横ずれが防止され、載置部が安定して洗浄槽の上端周縁に載置されることを保証する。下向規制片は下方に突出するように形成されればどのような形態でも構わない。単純には、載置部の周縁部を下方に折曲するだけでも良いし、周縁部に下方に突出するようにを溶接してもよいし、周縁部の全体に形成してもよく、また周縁部の一部に形成してもよい。また、周縁部の一部を切り起こして下方に折曲させてもよい。また、周縁部とは周縁を含む幅を有した領域であり、端を意味する周縁に下向規制片を形成する以外に、周縁を残して周縁から中に少し入った位置に下向規制片を形成してもよいなど種々の形態がある。
また、載置部の中心部から先端に下端ネジ部を形成した吊下用軸部が下向きに垂下されている。この吊下用軸部の下端ネジ部にファンが連結される。多くのファンはモータの回転軸に連結される中心軸孔を有している。ファンを洗浄する場合には、ファンをモータから分離するから、その中心軸孔に吊下用軸部の下端ネジ部を挿通して連結すれば、洗浄治具をファンと簡単に連結固定できる。中心軸孔を有するファンとして、シロッコファン、プロペラファン、ターボファン等があり、本発明は中心軸孔を有するファンの全てに対し適用できる。
更に具体的には、ファンを洗浄する際には、ファンのハブの中心軸孔に前記洗浄治具の下端ネジ部を挿通し、前記中心軸孔から下方に突出した前記下端ネジ部をナットで締付けて前記洗浄治具をファンに固定してファン洗浄治具連結体を簡単に構成できる。そして、前述したように、前記下向規制片が前記上端周縁を規制するように前記載置部を前記洗浄槽の上端周縁に載置すれば、ファンを洗浄槽の中に吊下させることができる。このように、本形態のファン用洗浄治具はファンと簡単に連結固定できる。
また、本形態の載置部は、洗浄槽の開口部を閉鎖する蓋体であってもよいし、開口部の一部を開放した状態にするために、複数本の板体を放射状に配置した形態でも良い等、種々の具体的形状が存在する。基本的に、載置部は洗浄槽の上端周縁に載置できる構造であれば、どのような構造でも構わない。
【００２３】
本発明の第２の形態によれば、前記下向規制片は前記載置部の前記周縁部を下向きに折曲させて形成されるファン用洗浄治具が提供できる。この場合には、載置部の周縁部を下方に折曲加工するだけで良いから、下向規制片を簡単に形成できる利点を有する。
【００２４】
本発明の第３の形態によれば、吊下用軸部には前記下端ネジ部の上側近傍の軸体から一対の固定ピンを相互に反対方向に突出させている。吊下用軸部は全長にネジ部が形成されてもよいし、下端ネジ部の上側はネジ部の無い丸棒でも良く、少なくとも下端ネジ部が形成された丸棒であればよい。本形態では下端ネジ部の上側は軸体と称し、この軸体にネジ部があっても無くてもよい。この軸体から一対の固定ピンを相互に反対方向に突出させるには、軸体を貫通する細孔を軸と直交するように開孔し、この細孔に細いピンを挿通して軸体の左右に突出させ、溶接又はロウ付け、或いはコーキングという細孔のカシメ打ち等でピンを軸体に固定すればよい等、種々の加工手段が存在する。
他方、ファンには厚めのボス部が中央に形成されており、そのボス部の中心に中心軸孔が開孔されているから、中心軸孔を中心にして少なくとも一対のボス溝を相互に反対方向に刻設して形成し、また十字状に４本のボス溝を形成してもよいし、放射状に６本でも８本でもボス溝を形成することもできる。
前記一対の固定ピンを前記一対のボス溝に嵌め込んだ状態で、前記下端ネジ部をナットで締付けると、固定ピンがボス溝に嵌まり込むから、ファンは吊下用軸部に対し回動することができず、洗浄治具がファンと確実に固定状態で一体化される特徴を有する。従って、洗浄液中にファンを浸績して、洗浄槽の回転板により洗浄液を旋回流動しても、ファンは洗浄液中で確実に静止状態で固定されており、洗浄液がファンに衝突してファンの洗浄が効率的に実施できる。
【００２５】
本発明の第４の形態によれば、前記中心部に中心透孔を開孔し、前記吊下用軸部の上端に上端ネジ部を形成し、前記上端ネジ部を前記中心透孔に挿通して上方に突出させ、前記上端ネジ部をナットで締付けて前記吊下用軸部の上端を前記中心部に固定するファン用洗浄治具が提供できる。
本形態では、吊下用軸部と載置部との固定形態が限定される。載置部の中心には中心部が存在し、この中心部に中心透孔が開孔され、前記吊下用軸部の上端に上端ネジ部が形成されると、上端ネジ部を中心透孔の下から挿通させ、上側に突出した上端ネジ部を上からナットで締結するだけで、簡単に吊下用軸部を中心部に連結固定できる。中心部の下側にもナットを配置すれば、またワッシャを介装すれば連結固定は一層に確実になる。
勿論、吊下用軸部の全長にネジ部を形成してもよいことは云うまでもない。
【００２６】
本発明の第５の形態によれば、前記上端ネジ部を長めに形成し、前記中心透孔から上端ネジ部の上方への突出長を長短調整して、下端ネジ部に連結されるファンの上下位置を調節可能にするファン用洗浄治具が提供できる。
上端ネジ部の長さは自由に調整でき、吊下用軸部の全長をネジ部に形成してもよい。吊下されるファンの長さ（厚さ）は、ファンの種類によって種々さまざまである。ファンは洗浄槽の洗浄液の内部に浸漬する必要があるから、吊下するファンの上下位置を調節する必要が生じる。そこで、上端ネジ部長を長く形成しておけば、中心透孔から突出する上端ネジ部の突出長を自由に調整できる。突出長を長くすると、ファンを上方に移動配置することができるし、突出長を短くすれば、ファンを下方に移動配置でき、ファンを確実に洗浄液に浸漬することができ、ファン洗浄の確実性を保証できる。
【００２７】
本発明の第６の形態によれば、前記中心部に中心透孔を開孔し、前記吊下用軸部の上端を前記中心透孔に挿通し、前記吊下用軸部の上端を前記中心部に溶着又はロウ付けして前記吊下用軸部の上端を前記中心部に固定するファン用洗浄治具が提供できる。
本形態では、中心部と吊下用軸部の上端を溶着又はロウ付けすることによって剛体的に固定し、載置部と吊下用軸部の固定を確実に行い、長期使用によっても緩むことのないファン用洗浄治具が提供できる。中心部の上下をナットにより狭着して溶着又はロウ付けすることにより中心部と吊下用軸部の一体的な固定力を一層に強化することもできる。
勿論、第４形態の様に、上端ネジ部を形成して、ナットで締結した後に、更に溶着又はロウ付けすれば、固定力を格段に強化できることは云うまでもない。
【００２８】
本発明の第７の形態によれば、前記載置部は前記中心部から３本以上の延伸杆を放射状に突出させて構成されるファン用洗浄治具が提供できる。延伸杆が２本では安定してファンを吊下できないから、本形態では延伸杆は３本以上に限定される。３本以上の延伸杆を中心対称又は略中心対称に配置すれば、安定したファン用洗浄治具が構成できる。本形態では、洗浄槽の開口部は不完全にしか閉鎖されおらず、洗浄槽の内部を確認しながら洗浄できる利点がある。
【００２９】
本発明の第８の形態によれば、前記中心部と前記延伸杆とは面一状に形成されるファン用洗浄治具が提供できる。
従って、一枚の金属板から中心部と連続する３本以上の延伸杆を切断形成すれば、中心部と延伸杆とは面一状に形成できる。或いは、中心部と３本以上の延伸杆を配置して、接続部を溶着又はロウ付けして面一状に一体形成することも可能である。このように形成すれば、延伸杆が中心部に対して緩むことは無いく、耐久性のあるファン用洗浄治具を提供できる。
【００３０】
本発明の第９の形態によれば、前記延伸杆は、一端の周縁部に下向規制片と他端に中心孔を形成してなり、前記載置部は前記延伸杆の中心孔を上下に合致して重ね合わせた中心部を有するファン用洗浄治具が提供できる。この形態では、前記延伸杆は洗浄槽の略半径の長さを有し、中心孔を上下に１段、２段、３段・・と重ねて中心透孔を形成し、中心透孔の近傍が中心部を形成する。換言すれば、傘の骨格のように延伸杆を放射状に配置でき、任意本数の延伸杆の放射配置が可能になる利点を有する。
【００３１】
本発明の第１０の形態によれば、中心位置に中心孔を開孔し両端部に前記下向規制片を形成した２本以上の直杆を前記中心孔を合致するように重ね、１本の直杆は前記中心孔から左右に２本の前記延伸杆が突設される形態を有し、前記中心孔が上下に重なって形成される中心透孔を含む領域が前記中心部を形成し、前記中心部から４本以上の前記延伸管が放射状に突出されるファン用洗浄治具が提供できる。
本形態では、例えば、２本の直杆を中心孔を合致させて十字状に重ねると、４本の延伸杆が十字状に配置された載置部が構成され、重ねた領域が中心部になり、この中心部の中央に２個の中心孔が重なって形成される中心透孔が開孔されることになる。同様に、３本の直杆を中心孔を合致させて対称的に重ねると、６本の延伸杆の先端を結ぶ図形が正六角形を形成するように構成される。この場合には、中心部は２重、３重に重なるから次第に厚くなり、吊下用軸体の上端ネジ部をナットにより締結しただけでは緩む可能性があれば、２重、３重の中心部を溶着又はロウ付けして剛体的に一体化してもよい。
【００３２】
本発明の第１１の形態によれば、前記載置部は前記洗浄槽の開口部を密閉する蓋状天板から形成され、前記蓋状天板の周縁部で周方向の一部又は全周に前記下向規制片を突設させるファン用洗浄治具が提供できる。
本形態では、載置部は洗浄槽の開口部を密閉する蓋状天板から形成されるから、外部から洗浄槽の中を見ることはできない構成となっている。ファンを洗浄液の中に浸績して回転板で洗浄液を旋回させると、回転数を上げたときに洗浄液が強力に旋回し、洗浄液が外部に飛散する可能性がある。この洗浄液の飛散を本形態の蓋状天板で遮断することができ、作業環境を良好に保持できる利点がある。
また、蓋状天板の周縁部で周方向の一部又は全周に前記下向規制片を突設させるから、下向規制片を全周に形成する場合には、下向規制片の全周が洗浄槽の上端周縁に規制され、蓋状天板の全方向へのずれが確実に防止規制される。更に、下向規制片が一部に形成される場合でも、その一部の規制によって蓋状天板の横ずれが防止規制される。一部とは、対向する２領域だけでも良いし、３領域以上に亘って下向規制片が配置されれば、蓋状天板のほぼ全方向への横ずれを防止規制できることは云うまでもない。
【００３３】
本発明の第１２の形態によれば、少なくとも一個の前記下向規制片の横に洗浄槽の上端周縁の周方向に延びるＬ字杆を設け、前記下向規制片と前記Ｌ字杆によりコ字型ロック部を構成し、前記洗浄槽に吊下取手を連結する吊下取手継部に前記コ字型ロック部を固定して、前記載置部が前記洗浄槽の周方向への回動を阻止するファン用洗浄治具を提供できる。
載置部を洗浄槽の上端周縁に載置しただけでは、洗浄槽内の洗浄液を旋回させたときに、吊下されたファンが旋回流により回転され、洗浄治具まで回転する可能性がある。そこで、横設された前記Ｌ字杆と前記下向規制片により形成されたコ字型ロック部を吊下取手継部に嵌合させて固定すれば、ファンが旋回流を受けても載置部が回転することが無く、ファンとファン用洗浄治具が一体となって自転することが防止できる。
【００３４】
本発明の第１３の形態によれば、第１形態〜第１２形態のファン用洗浄治具と洗浄機を組み合わせたファン洗浄装置が提供できる。ファン用洗浄治具としては、本発明の第１形態〜第１２形態のファン用洗浄治具を使用できるから、第１形態〜第１２形態に亘って説明した構成と作用と効果が全て適用されるので、ここでは説明を省略する。
また、本発明で使用できる洗浄機としては、洗浄槽の底部には電動回転する開転板を有し、且つ洗浄槽の上端側に開口部を内方に形成する上端周縁を有した洗浄機が全て適用できるから、そのような形態の洗浄機をそのまま使用することが可能である。
ファンを洗浄する際には、前記ファン用洗浄治具にファンを装着してファン洗浄治具連結体を構成し、前記洗浄槽に洗浄液を充填し、前記ファン洗浄治具連結体のファンを前記開口部から投入して洗浄液に浸績させ、前記ファン洗浄治具連結体の載置部を前記上端周縁に載置し、前記載置部の周縁部に下向きに突設された下向規制片により前記載置部の前記上端周縁からの位置ずれを規制して横ずれを防止できるファン洗浄装置が提供できる。
【図面の簡単な説明】
【００３５】
【図１】図1は、本発明に係るファン用洗浄治具の第１形態の斜視図で、洗浄治具とファンの連結状態を示す組立分解斜視図である。
【図２】図２は、本発明に係るファン用洗浄治具の第１形態の組立分解斜視図である。
【図３】図３は、本発明に係るファン用洗浄治具において、吊下用軸部の下端ネジ部をファンの中心軸孔に挿着する場合の一部分解斜視図である。
【図４】図４は、本発明に係るファン用洗浄治具の第１形態をファンに連結固定した状態の斜視図である。
【図５】図５は、本発明に係るファン用洗浄治具の第１形態をファンに連結固定した状態の反対側から看た斜視図である。
【図６】図６は、本発明に係るファン用洗浄治具の第１形態にファンを連結固定して、洗浄槽の上端周縁に洗浄治具の下向規制片を引掛けて吊下した状態の概略斜視図である。
【図７】図７は、で、洗浄治具とファンの連結状態を示す組立分解斜視図である。
【図８】図８は、本発明に係るファン用洗浄治具の第２形態の詳細図である。
【図９】図９は、本発明に係るファン用洗浄治具の第２形態をファンに連結固定した状態の斜視図である。
【図１０】図１０は、本発明に係るファン用洗浄治具の第２形態にファンを連結固定して、洗浄槽の上端周縁に洗浄治具の下向規制片を引掛けて吊下した状態の概略斜視図である。
【図１１】図１１は、本発明において下向規制片の変形例の要部斜視図である。
【図１２】図１２は、本発明においてファン用洗浄治具が適用されるプロペラファンとターボファンの概略図である。
【図１３】図１３は、本発明においてファン用洗浄治具の第１形態の変形例の斜視図である。
【図１４】図１４は、本発明においてファン用洗浄治具の第１形態の別実施例で、下向規制片の横に洗浄槽へのロック部を設けた概略図である。
【図１５】図１５は、従来技術である特開２００２−２４２８９７号公報（特許文献１）に記載されたファン洗浄装置の全体斜視図である。
【図１６】図１６は、従来技術である特開２００４−３０８９８７号公報（特許文献２）に記載されたファンコイルユニットの洗浄方法の概略説明図である。
【発明を実施するための形態】
【００３６】
以下に示すように、本発明に係るファン用洗浄治具及びファン洗浄装置の実施形態を図面に従って詳細に説明する。
【００３７】
図1は、本発明に係るファン用洗浄治具の第１形態の斜視図を含み、洗浄治具とファンの連結状態を示す組立分解斜視図である。
洗浄治具１は載置部１０と吊下用軸部２０から構成されている。載置部１０は、中心部１１と、この中心部１１から回転対称に放射状に配置された３本以上の延伸杆１２と、延伸杆１２の先端に下方に向いた下向規制片１３から構成されている。また、吊下用軸部２０は、中心部１１から下方に垂下した軸体２１と、軸体２１の下端にネジが切られた下端ネジ部２２と、下端ネジ部２２の直上の軸体２１に左右側方に突出した一対の固定ピン２３から構成されている。固定ピン２３の突出方向は吊下用軸部２０の軸方向と直交関係にある。吊下用軸部２０の上端には軸頭２８を露出したナット２５が配置されている。この例では、ナット２５は袋ナットが使用されており、軸頭２４はナット２５の袋に相当する。勿論、ナット２５は普通のナットで、吊下用軸部２０の上端が軸頭２８になっていてもよい。
【００３８】
洗浄治具１の下方にはファン３０が配置されている。ここに図示されるシロッコファンはファン３０の一例として図示されており、シロッコファンには他の構造のものも存在する。ファン３０は円筒部３１とハブ３８から構成されている。円筒部３１では、上環板３２と中環板３６と下環板３４が水平に３層構造で配置ており、それらは相互に多数のブレード３５によって連結されている。多数のブレード３５は周方向に相互に傾斜しながら配置され、ファン３０の翼部が形成される。
【００３９】
中環板３６には十字状の連結板３９、３９、３９、３９を介してハブ３８が配置され、中環板３６と連結板３９とハブ３８は１枚板から形成されている。ハブ３８の中央には盛り上がったボス部４１が配置され、ボス部４１の中心には中心軸孔４２が開孔されている。ボス部４１には十字状にボス溝部４３が刻設されており、一対のボス溝部４３、４３は互いに反対方向刻設され、もう一対のボス溝部４３、４３も互いに反対方向に刻設され、一対と一対とは直交して形成されている。従って、ボス部４１は４本のボス溝部４３と４個のボス突部４４とが交互に配置された構造を有している。
【００４０】
上述した吊下用軸部２０の下端ネジ部２２は、中心軸孔４２に挿通され、固定ピン２３、２３は一対のボス溝部４３、４３に嵌合される。ファン３０の下方には、ワッシャ５１と蝶ナット５３が配置されている。中心軸孔４２から下方に突出した下端ネジ部２２は、ワッシャ５１を介して蝶ナット５３により固く締結される。固定ピン２３はボス溝部４３に嵌合しているから、洗浄治具１は回転することはできず、蝶ナット５３の締結により洗浄治具１とファン３０とは簡単にしかも強固に締結されることができる。
【００４１】
図２は、本発明に係るファン用洗浄治具の第１形態の組立分解斜視図である。本図では、載置部１０と吊下用軸部２０との固定の詳細が示されている。（２Ａ）では、中心部１１から面一状に３本以上の延伸杆１２が放射状に突出された洗浄治具１が示されている。吊下用軸部２０には下端ネジ部２２と同様に上端ネジ部２４が形成されており、下側ナット２７とワッシャ２６と袋ナットであるナット２５が配置されている。従って、上端ネジ部２４は下側ナット２４に螺合されて中心透孔１４に挿通され、中心透孔１４から上方に突出した上端ネジ部２４はワッシャ２６を介してナット２５により締結され、載置部１０と吊下用軸部２０とは固く一体固定されることになる。
ナットで締結するだけであるから、逆にナットを緩めることにより、載置部１０と吊下用軸部２０に分解することも可能であり、洗浄治具として使用するときに組み立て、それ以外では分解して容積を小さくすれば収納も容易になる。また、収納容積に問題が無ければ、固定を一層強化するために、載置部１０と吊下用軸部２０とを溶着又はロウ付けすることも可能である。但し、このときには分解は不能になる。
【００４２】
（２Ｂ）では、両端に下向規制片１３、１３を形成した２本の直杆１５、１５を中心孔１６、１６を合致させて十字状に重ね配置して載置部１０を形成し、２個の中心孔１６、１６が一体となって中心透孔１４を構成する。この中心透孔１４を含む重合領域が中心部１１を形成する。１本の直杆１５は、中心孔１６の左右反対向きに２本の延伸管１２、１２を突出した構造を有しているから、上記載置部１０では、中心部１１の周りに４本の延伸杆１２、１２、１２、１２が十字状に突出した構造を有する。また、３本の直杆１５、１５、１５を回転対称形に重ねれば６本の延伸杆１２・・を構成でき、４本の直杆１５を回転対称形に重ねれば８本の延伸杆１２・・を構成することになる等、自在に配置部１０を設定することが可能である。
吊下用軸部２０の構成については、（２Ａ）と異なるところは、ナット２５は袋ナットでは無く、袋の無い通常のナットを用いる点である。この場合には、上端ネジ部２４の上端が軸頭２８になる。即ち、上端ネジ部２４を下側ナットに挿通して中心透孔１４から上方に突出させ、ワッシャ２６とナット２５を締結すると、ナット２５から軸頭２８が見えることになる。従って、上端ネジ部２４の上端点が軸頭２８になることが分かる。
【００４３】
図３は、本発明に係るファン用洗浄治具において、吊下用軸部の下端ネジ部をファンの中心軸孔に挿着する場合の一部分解斜視図である。
（３Ａ）は、下端ネジ部２２をファン３０のボス部４１の中心軸孔４２に挿着する前の状態の配置図である。ボス部４１には、４個のボス突部４４と４本のボス溝部４３が交互に配置され、４本のボス溝部４３は十字状に刻設されている。（３Ｂ）は、下端ネジ部２２を中心軸孔４２に挿通させて挿着した後の状態の配置図である。下端ネジ部２２はボス部４１の下方に突出していることが図示されている。また、軸体２１の側方に突出している左右の固定ピン２３、２３はボス溝部４３、４３に嵌合しており、吊下用軸部２０はボス溝部４３、４３の抵抗により回動不能状態にある。この回動不能状態で、図１に示されるように、ワッシャ５１と蝶ナット５３により下端ネジ部２２が締結されると、ファン３０と洗浄治具１とは固く一体に連結固定されることになる。
【００４４】
図４は、本発明に係るファン用洗浄治具の第１形態をファンに連結固定した状態の斜視図である。
本図には、洗浄治具１とファン３０とが一体に連結固定されたファン洗浄治具連結体６０が示されている。本発明では、洗浄を目的として、各種の装置からファン３０を分離し、このファン３０を本発明の洗浄治具１と連結して、本図に示されるファン洗浄治具連結体６０が完成される。
【００４５】
図５は、本発明に係るファン用洗浄治具の第１形態をファンに連結固定した状態を反対側から看た斜視図である。図５は図４を背面側から看た斜視図であり、換言すれば、ファン洗浄治具連結体６０を背面側から看た斜視図である。ボス部４１から突出した下端ネジ部２２がワッシャ５１を介して蝶ナット５３により締結された状態が明瞭に示されている。このように、ファン３０を本発明の洗浄治具１と連結したファン洗浄治具連結体６０が構成される。
【００４６】
図６は、本発明に係るファン用洗浄治具の第１形態にファンを連結固定して、洗浄槽の上端周縁に洗浄治具の下向規制片を引掛けて吊下した状態の概略斜視図である。
本発明に利用できる洗浄機７５は、洗浄槽７０と、洗浄槽７０の底部に電動回転する回転板７１を有して構成される。回転板７１は突条を十字状に配置した回転翼７１ａを有している。洗浄槽７０の中には洗浄液８０が充填されている。洗浄槽７０の上端周縁７３は円形を有し、上端周縁７３の内側が洗浄槽の開口部７２となっている。
ファン洗浄治具連結体６０の載置部１０を前記上端周縁７３に懸架して、ファン３０を開口部７２から内方に吊下する。具体的には、ファン３０を下向きにして、３本の延伸杆１２からなる載置部１０を円形の上端周縁１２に載置する。このとき、下向規制片１３は上端周縁７３の外側近傍に配置され、これらの下向規制片１３が上端周縁７３の外壁に当接規制されて、ファン洗浄治具連結体６０は横ずれすること無く安定して上端周縁７３に載置される。
ファン３０を洗浄するには、図示しない起動スイッチをオンし、回転板７１を矢印ａ方向に回動して洗浄液８０を矢印ａ方向に旋回させる。回転板７１の回転数は通常１００ｒｐｍ以下であるから、洗浄液８０が開口部７２から飛び散ることは無い。ファン３０は洗浄槽７０の中に静止状態にあり、旋回する洗浄液８０がファン３０と衝突してファン３０は浄化されてゆく。
【００４７】
図７は、本発明に係るファン用洗浄治具の第２形態の斜視図を含み、洗浄治具とファンの連結状態を示す組立分解斜視図である。
本図は図１と洗浄治具１だけが異なっており、ファン３０とワッシャ５１と蝶ナット５３は全く同一である。従って、洗浄治具１の構成、作用、効果だけを詳細に説明し、他は図１をそのまま援用する。
洗浄治具１は載置部１０と吊下用軸部２０から構成され、吊下用軸部２０は図１と全く同一であるからそれを援用し、載置部１０だけを以下に説明する。載置部１０は蓋状天板１８から形成され、洗浄槽７０の開口部７２を完全に密閉して洗浄液８０の飛散を完全に遮断して環境を良好に保持できる形状を有している。蓋状天板１８の周縁部１０ａには周縁部の周方向の１周全長に下向規制片１３が下方に向いて突設されている。下向規制片１３は、間隔をあけて飛び飛びに形成されてもよいし、周方向の一部分に形成されてもよい等、種々の形態で形成できる。この下向規制片１３が洗浄槽の上端周縁に当接又は近接することによって、洗浄治具１の横ずれが規制され、安定して洗浄槽の上端周縁に載置されることができる。
また、蓋状天板１８の中央に位置する中心部１１の中心から下方に吊下用軸部２０が吊下されている。吊下用軸部２０の軸体２１の上端面がナット２５の孔の上端まで到達して軸頭２８が外看でき、吊下用軸部２０を常に強固に締結することができる。更に、中心部１１の上側に取手１７が配置され、取手１７を掴んで容易に洗浄治具１を操作することができる利点がある。
【００４８】
図８は、本発明に係るファン用洗浄治具の第２形態の詳細図である。（８Ａ）は、第２形態のファン用洗浄治具１の斜視図である。（８Ａ）は図７の洗浄治具１と全く同一であるから、その説明を省略する。（８Ｂ）は（８Ａ）のＡ−Ａ線断面図である。蓋状天板１８の周縁部１０ａの全周に折曲片からなる下向規制片１３が形成され、蓋状天板１８の中心に中心透孔１４が開孔されている。吊下用軸部２０の上端ネジ部２４は下側ナット２７を螺合して中心透孔１４に挿着され、その突出部をナット２５で締結して固定されている。ナット２５は袋ナットでは無く通常ナットであるから、上端ネジ部２４の上端面が軸頭２８になっていることが分かる。従って、ナット２５を強固に締結しておけば洗浄治具１は一体に保持できる。また、取手１７は蓋状天板１８に溶着又はロウ付けで固定されるが、蓋状天板１８に対しネジ止めであってもよい。
【００４９】
図９は、本発明に係るファン用洗浄治具の第２形態をファンに連結固定した状態の斜視図である。本発明では、洗浄を目的として、各種の装置からファン３０を分離し、図７に示される洗浄治具１とファン３０をワッシャ５１及び蝶ナット５３で締結すると、本図に示されるファン洗浄治具連結体６０が完成する。
【００５０】
図１０は、本発明に係るファン用洗浄治具の第２形態にファンを連結固定して、洗浄槽の上端周縁に洗浄治具の下向規制片を引掛けて吊下した状態の概略斜視図である。
本発明に利用できる洗浄機７５は、洗浄槽７０と、洗浄槽７０の底部に電動回転する回転板７１を有して構成される。回転板７１は突条を十字状に配置した回転翼７１ａを有している。洗浄槽７０の中には洗浄液８０が充填されている。洗浄槽７０の上端周縁７３は円形を有し、上端周縁７３の内側が洗浄槽の開口部７２となっている。
ファン洗浄治具連結体６０の載置部１０を構成する蓋状天板１８を前記上端周縁７３に載置すると、洗浄槽７０の開口部７２は蓋状天板１８により完全に密閉され、ファン３０は洗浄槽７０の内方に吊下される。下向規制片１３は上端周縁７３の外側近傍に配置され、これらの下向規制片１３が上端周縁７３の外壁に当接規制されて、ファン洗浄治具連結体６０は横ずれすること無く安定して上端周縁７３に載置される。
ファン３０を洗浄するには、図示しない起動スイッチをオンし、回転板７１を矢印ａ方向に回動して洗浄液８０を矢印ａ方向に旋回させる。回転板７１の回転数は通常１００ｒｐｍ以下であるから、通常では洗浄液８０が開口部７２から飛び散ることは無い。しかし、仮に飛び散ることがあったとしても、開口部７２は完全に蓋状天板１８により密閉されているから、洗浄液８０の飛散は完全に遮断され、洗浄環境は清潔に保持される利点がある。ファン３０は洗浄槽７０の中に静止状態にあり、旋回する洗浄液８０がファン３０と衝突してファン３０は浄化されてゆく。
【００５１】
図１１は、本発明において下向規制片の変形例の要部斜視図である。
（１１Ａ）には、載置部１０が延伸■１２から構成される第１形態が示され、下向規制片１３が延伸■１２の周縁部１０ａを折曲した折曲片から構成されている。（１１Ｂ）には、下向規制片１３の変形例が示され、延伸■１２の周縁部１０ａにおいて、周縁より少し内側の位置から下向規制片１３が突設されている。（１１Ｃ）には、下向規制片１３の他の変形例が示され、延伸■１２の周縁部１０ａにおいて、周縁より少し内側の位置から下向規制片１３が切り起こされて突設されている。以上の様に、下向規制片１３には種々の形態が存在する。
【００５２】
図１２は、本発明においてファン用洗浄治具が適用されるプロペラファンとターボファンの概略図である。
（１２Ａ）では、ファン３０として換気扇などで使用されるプロペラファンが示され、ファン３０のハブ３８の中心に中心軸孔３８が開孔されており、この中心軸孔３８にファン洗浄治具の吊下軸部２０の下端ネジ部２２が挿着され、下方からナット５３で締結されて固定される。（１２Ｂ）では、ファン３０としてファン装置で使用されるターボファンが示され、ファン３０のハブ３８の中心に中心軸孔３８が開孔されており、この中心軸孔３８にファン洗浄治具の吊下軸部２０の下端ネジ部２２が挿着され、同様に下方からナット５３で締結されて固定される。このように、中心軸孔４２を有する全てのファンが本発明の適用対象となる。
【００５３】
図１３は、本発明においてファン用洗浄治具の第１形態の変形例の斜視図である。
（１３Ａ）では、一端の周縁に下向規制片１３と他端に中心孔１６を形成した４本の延伸■１２、１２、１２、１２が十字状に配置され、中心孔１６、１６、１６、１６を上下に合致して重ね合わせて載置部１０が構成される。４個の中心孔１６が重なって中心透孔１４になり、中心透孔１４の近傍領域が中心部１１になる。
（１３Ｂ）では、４本の延伸■１２、１２、１２、１２を十字状に重ね、中心透孔１４に吊下用軸部２０の上端ネジ部２４を挿通し、上下からワッシャ２６、２６を介してナット２５と下側ナット２７で締結する。上端ネジ部２４はかなり長めに形成されており、下端ネジ部に連結されるファンの上下位置が調節される。例えば、上端ネジ部２４の上方への突出長を長くなるように調整すれば、ファンの吊下位置を上方へ移動することができ、また逆にすれば下方へ移動することができる。
【００５４】
図１４は、本発明においてファン用洗浄治具の第１形態の別実施例で、下向規制片の横に洗浄槽へのロック部を設けた概略図である。
（１４Ａ）には、延伸■１２の下向規制片１３の横に周方向を向いたＬ字■４６が設けられ、下向規制片１３とＬ字■４６によりコ字型ロック部４７が構成されている。（１４Ｂ）には、吊下取手７６が洗浄槽７０に吊下取手継手７７で連結されている。吊下取手継手７７と洗浄槽７０の間に隙間である継手隙間７８が形成される。コ字型ロック部４７を継手隙間７８に嵌め込むと、載置部１０は洗浄槽７０の周りに自転することは無く、極めて安定化することができる。
【００５５】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００５６】
以上詳述したように、本発明によれば、ファンを使用する各種装置から汚れたファンを取り出し、本発明に係る洗浄治具に前記ファンを一体に固定してファン洗浄治具連結体を組み立て、洗浄槽の上端周縁に洗浄治具を横ずれが無い状態で載置してファンを洗浄槽の中の洗浄液に吊下浸績させ、洗浄液を旋回流動させてファンを簡単に清浄化することができる。従って、ファンの洗浄再生業界に新技術を提案し、ファンの洗浄再生業界を活性化することができる。
【符号の説明】
【００５７】
１        洗浄治具
１０      載置部
１０ａ    周縁部
１１      中心部
１２      延伸杆
１３      下向規制管
１４      中心透孔
１５      直杆
１６      中心孔
１７      取手
１８      蓋状天板
２０      吊下用軸部
２１      軸体
２２      下端ネジ部
２３      固定ピン
２４      上端ネジ部
２５      ナット
２６      ワッシャ
２７      下側ナット
２８      軸頭
３０      ファン
３１      円筒部
３２      上環板
３４      下環板
３５      ブレード
３６      中環板
３７      ファンの開口部
３８      ハブ
３９      連結板
４０      透孔
４１      ボス部
４２      中心軸孔
４３      ボス溝部
４４      ボス突部
４６      Ｌ字杆
４７      コ字形ロック部
５１      ワッシャ
５３      蝶ナット
６０      ファン洗浄治具連結体
７０      洗浄槽
７１      回転板
７１ａ    回転翼
７２      洗浄槽の開口部
７３      上端周縁
７５      洗浄機
７６      吊下取手
７７      吊下取手継手
７８      継部隙間
８０      洗浄液
１０１    ファン洗浄装置
１０２    シロッコファン
１０３    洗浄槽
１０４    回転手段
１０５    連結手段
１０６    濯ぎ槽
１０７    乾燥手段
１１３    本体部
１２０    追炊ボイラ
１２４    駆動モータ
１２５    昇降機構
１２７    支持板
１３７    フック
２０１    ファンコイルユニット
２０２    熱交換器
２０３    ファン配風機
２０４    ブラストマシン
２０５    エアコンプレッサ
２０７    バキュームクリーナ
２０８    天井
２１１    点検口
２１２    ダクト
２１３    室内吹出口
２２５    熱交フィン
２３１    シロッコファン
２４１    ブラストホース
２４２    リモコン
２５１    エアホース
２７１    集塵ホース
２７２    集塵ホッパ
２８１    天井点検口
【図１】
2016013504.tif 000003
【図２】
2016013504.tif 000004
【図３】
2016013504.tif 000005
【図４】
2016013504.tif 000006
【図５】
2016013504.tif 000007
【図６】
2016013504.tif 000008
【図７】
2016013504.tif 000009
【図８】
2016013504.tif 000010
【図９】
2016013504.tif 000011
【図１０】
2016013504.tif 000012
【図１１】
2016013504.tif 000013
【図１２】
2016013504.tif 000014
【図１３】
2016013504.tif 000015
【図１４】
2016013504.tif 000016
【図１５】
2016013504.tif 000017
【図１６】
2016013504.tif 000018